(57)【要約】【課題】漁船において漁獲物ｗを支障のない能率で魚倉内に収容できることを確保した上で、漁獲物ｗを踏みつぶすことなく能率的に水揚げしたり、鮮度良く衛生的に目的地まで搬送することを可能とする。【解決手段】水平断面形状が正方形の上下向き一様断面有底筒状であり底面２３ａ及び側周面２３ｂが網地２７で形成され上面が開口２３ｃになっている袋体２３と、底面２３ａ及び側周面２３ｂのうち、袋体２３内の水が抜け落ちるための通路となる網地２７部分を除いた範囲に被着されている撓曲可能な複数枚のシート部材２４と、袋体２３の側周面２３ｂの各隅角部の上に固定された筋縄２５と、該筋縄２５のそれぞれから上方へ延出されており上部に吊り力を付与される吊り手棒２６とを備えた漁獲物収容バッグ２２に漁獲物ｗを収容させる。【選択図】図８
2010022212.tif 000002
【特許請求の範囲】
【請求項１】
水平断面形状が正方形の上下向き一様断面有底筒状であり底面及び側周面が網地で形成され上面が開口になっている袋体と、該袋体の底面部及び側周面のうち、該袋体内の水が抜け落ちるための通路となる網地部分を除いた範囲に被着されている撓曲可能な複数枚のシート部材と、袋体の側周面の各隅角部上に固定された筋縄と、該筋縄のそれぞれから上方へ延出され上部に吊り力が付与される吊り手棒とを備えた漁獲物収容バッグの複数個を、漁船の魚倉内に分解可能に形成された枡のそれぞれの内方に整列させて位置保持させ、これら漁獲物収容バッグのそれぞれの開口の上方から漁獲物を落下させることを特徴とする漁獲物取扱方法。
【請求項２】
各枡内の複数個の漁獲物収容バッグの開口同士を、前記吊り手棒同士の結合処理や、各枡に固定されたフック部材への前記吊り手棒の掛け止め処理により密接状態に保持させることを特徴とする請求項１記載の漁獲物取扱方法。
【請求項３】
前記吊り手棒同士の結合処理にさいして、前記吊り手棒に形成された吊り環部を結合ロープで縛るように実施することを特徴とする請求項２記載の漁獲物取扱方法。
【請求項４】
各枡の内方に４個の前記漁獲物移送用バッグを２列に整列させて配置した後、各枡の上方視中央位置に漁獲物を落下させることを特徴とする請求項１、２又は３記載の漁獲物取扱方法。
【請求項５】
水平断面形状が正方形の上下向き一様断面有底筒状であり底面及び側周面が網地で形成され上面が開口になっている袋体と、該袋体の底面部及び側周面のうち、該袋体内の水が抜け落ちるための通路となる網地部分を除いた範囲に被着されている撓曲可能な複数枚のシート部材と、袋体の側周面の各隅角部の上に固定された筋縄と、該筋縄のそれぞれから上方へ延出され上部に吊り力が付与される吊り手棒とを備えたことを特徴とする漁獲物収容バッグ。
【請求項６】
前記シート部材が袋体の内面に被着されていることを特徴とする請求項５記載の漁獲物収容バッグ。
【請求項７】
前記シート部材が漁獲物の移動を円滑化させると共に断熱性を有することを特徴とする請求項５又は６記載の漁獲物収容バッグ。
【請求項８】
漁獲物の収容された袋体の吊り移動に必要とされる強度は網地及び筋縄により充足されることを特徴とする請求項５、６又は７記載の漁獲物収容バッグ。
【請求項９】
網地が角目使いとされていることを特徴とする請求項５、６、７又は８記載の漁獲物収容バッグ。
【発明の詳細な説明】
【技術分野】
【０００１】
本発明は、漁船上での漁獲物取扱方法及び該方法の実施にさいして使用される漁獲物収容バッグに関する。
【背景技術】
【０００２】
従来より、漁場における漁獲物は鮮度を落とさないように出来るだけ迅速に漁船の魚倉２内に搬入し冷却状態で保存し、帰港して水揚げするように取り扱われている
沖合底びき網漁船（沖底船）における漁獲物の取扱い例について詳細に説明する。
図１〜図４は既存の沖底船に係り、図１は側面視説明図、図２は平面図、図３は上甲板の下側近傍を上方から見た図、図４及び図５は一部を拡大した斜視図である。これらの図に示すように、船体１内に魚倉２が形成されている。魚倉２は内底板２ａ、側外板２ｂ、２ｃ、前隔壁２ｄ、後隔壁２ｅのほか、上甲板３及び最上層甲板（船楼甲板）４からなる天井板などで周囲を囲まれている。最上層甲板４には荷揚げ口５が形成されている。
【０００３】
魚倉２内は船長さ方向に沿った起立状の縦仕切壁６ａと船巾方向に沿った起立状の横仕切壁６ｂとで多数の枡６が形成されており、縦仕切り壁６ａ及び横仕切り壁６ｂの下縁は内底板２ａの上面である床面に支持されている。各枡６は例えば船長さ方向を２ｍ、船巾方向を２ｍ、そして高さを１．８ｍとなされると共に高さを魚倉２高さの全長に及ばない大きさとなされている。
【０００４】
縦仕切壁６ａ及び横仕切壁６ｂの交叉位置には内底板２ａに下端を固着されて起立された起立支持部材７が設けられている。そして起立支持部材７、側外板２ｂ、２ｃ、前隔壁２ｄ及び後隔壁２ｅの相互間に縦仕切壁６ａ及び横仕切壁６ｂが形成されている。縦仕切壁６ａ及び横仕切壁６ｂは図５に示すように何れも複数の差し板８からなり、これら差し板８は起立支持部材７、側外板２ｂ、２ｃ、前隔壁２ｄ及び後隔壁２ｅのそれぞれに固定された受け部材７ａを介して抜き差しによる分解組立可能に位置決めされている。各差し板８は例えば、木板となされており、高さ３０ｃｍ、厚さ４ｃｍ、長さ２００ｃｍ程度となされる。
【０００５】
魚倉２の後部上方には魚落とし室９が形成されている。魚落とし室９は床面２ａを上甲板３で形成され、上面を傾斜板１０及び最上甲板４からなる天井板で形成され、側周面を起立壁面板１１で形成されている。そして、最上甲板４には油圧ハッチ１２が設けられている。また魚落とし室１２の横外方側の位置から魚倉２の前部に至る魚倉２内範囲で、枡６の上側となる位置には、漁獲物ｗを前方へ支持搬送するためのベルトコンベア１３が固設されている。
１４は底曳きウインチ、１５は前側クレーン、１６は後側クレーン、１７はスリップウエイである。
【０００６】
このような構造の沖底船において漁獲物ｗの魚倉２内への搬入は次のように実施される。
沖底船により底曳きされた底曳き網は底曳きウインチ１４や後側クレーン１６などでスリップウエイ１７を経て船上に巻き上げられ、油圧ハッチ１２の近傍に位置されるのであり、この後、底曳き網末端のチャックを開放される。これにより漁獲物ｗはチャックの開放された開口を通じて底曳き網外方へ落下され、予め開放作動されている油圧ハッチ１２を通じて魚落とし室９内の床面９ａ上に導入される。
【０００７】
魚落とし室９内では作業者が床面９ａに溜まった漁獲物ｗについて種類や大小で選別したり、混獲物を選別する処理を行い、起立壁面板１１の作業用開口を通じることにより、目的魚のみをベルトコンベア１３の搬送始端に投入する。
【０００８】
ベルトコンベア１３に投入された漁獲物ｗは前方へ搬送され、予め位置決めされた伸縮可能な可動式の誘導傾斜樋１８に達したとき、作業者により又は機械的に誘導傾斜樋１８内に落下され、以後、誘導傾斜樋１８に案内されて予定された枡６の上方からその内方へ落下される。
【０００９】
図６は枡６内に漁獲物ｗが収容された状態を示す断面図である。漁獲物ｗを収容する予定の枡６のそれぞれの底面２ａには予め２乃至３枚の平畚１９を展開状態にして段重ね状に敷いておく。このさい、これら平畚１９の四隅に設けられた吊り手棒１９ａの上部の吊り環部は枡６の四隅の起立支持部材７、前隔壁２ｄ、後隔壁２ｅ又は側外板２ａ、２ｂの枡６上部位置に同体状に固着されたフック部材２０に順に掛け止める。したがって各枡６の平畚１９上に誘導傾斜樋１８から落下した漁獲物ｗが収容される。
【００１０】
一方、荷揚げ口５の真下の２つの枡６Ａ、６Ｂは、誘導傾斜樋１８から漁獲物ｗが落下され或る程度蓄積されたとき、ベルトコンベア１３の停止により誘導傾斜樋１８から漁獲物ｗが落下するのを一時的に停止させ、この停止中に、図５に示すように該枡６Ａ、６Ｂ内の漁獲物ｗの上面に２又は３枚程度の平畚１９を展開状態で敷き、これら平畚１９の四隅に設けられた吊り手棒１９ａの上部の吊り環部を先と同様にフック部材２０に順に掛け止める。
【００１１】
この後、再びベルトコンベア１３を作動させ、誘導傾斜樋１８からこれら平畚１９の上に漁獲物ｗを落下させる。これにより、該枡６Ａ、６Ｂには最下位置の平畚１９上と中間高さの平畚１９上の双方に漁獲物ｗが収容された状態となる
【００１２】
漁獲物ｗは誘導傾斜樋１８を移動させることにより各枡６Ｃ〜６Ｌに順に収容させるようにするが、このさい積荷による船体の傾斜が大きくならないように前後左右のバランスが得られるように実施する。また荷揚げ口５の真下の２つの枡６Ａ、６Ｂへの漁獲物の収容は他の枡６Ｃ〜６Ｌへの漁獲物ｗの収容が終了した後に実行するのがよい。
【００１３】
こうして魚倉２内に搬入された漁獲物ｗを冷却状態とするには、魚倉２内を冷却装置で冷却するか、或いは、砕片状の氷などを漁獲物ｗと一緒に枡６内に供給する。なお漁獲物ｗの搬入時には荷揚げ口５は密閉状態を維持され、油圧ハッチ１２は漁獲物ｗの搬入終了時に閉鎖される。
【００１４】
上記のように魚倉２内に搬入された漁獲物ｗを水揚げするさいは次のように実施される。
図７は沖底船から漁獲物ｗを水揚げする様子を示している。沖底船が水揚げ場に着いたとき、前側クレーン１５を使用することにより、荷揚げ口５の密閉蓋を開放する。そして、先ずは荷揚げ口５の真下の２つの枡６Ａ、６Ｂ内の漁獲物ｗを任意な一側の枡から水揚げし、次に他側の枡の水揚げをする。
【００１５】
このさいの処理は、次のように行う。即ち、枡６Ａ、６Ｂ内の中間高さ位置に敷いた平畚１９のうち、最上位置のものの四隅の吊り手棒１９ａの吊り環部を一点に集めて前側クレーン１５の吊りフック２１に掛け、吊りフック２１を引き上げることで最上位置の平畚１９を吊り上げる。このさい、最上位置の平畚１９上には該平畚１９のみでは揚がり切らない量の漁獲物ｗが載っているので該平畚１９の側縁から漁獲物ｗがこぼれ落ち、第２番目の高さ位置の平畚１９上に載った状態となる。
【００１６】
次いで第２番目以降の各平畚１９を前側クレーン１５で同様に引き上げる。このさい、引き上げれる１つの平畚１９のみでは揚がり切らない漁獲物ｗが載った状態となることがある。このときは先と同様に、該平畚１９上の漁獲物ｗが側縁からこぼれ落ち、その下側の平畚１９上に載った状態となる。そして、最下位置の平畚１９を引き上げるときは該平畚１９のみで十分に引き上げることのできる量の漁獲物ｗしか載っていない状態となり、該平畚１９を引き上げることで、各枡６Ａ、６Ｂ内の漁獲物ｗは全て引き上げられる。
この一連の処理において平畚１９の吊り手棒１９ａを吊りフック２１に掛けるときには、作業者は枡６の内方に入って漁獲物ｗの上に乗った状態となる。
【００１７】
荷揚げ口５の真下の２つの枡６Ａ、６Ｂ内の漁獲物ｗの水揚げが終了した後は、他の枡６Ｃ〜６Ｌ内の漁獲物ｗの水揚げを行う。
【００１８】
代表的に、任意な１つの枡（代表枡）６Ｃ内の漁獲物ｗを水揚げするときの手順を説明する。荷揚げ口５の真下の２つの枡６Ａ、６Ｂにうち代表枡６Ｃに正対する枡６Ａ内に別の平畚１９を新たに敷いた後、代表枡６Ｃを形成した差し板８のうち枡６Ａ側に存在した最上位置のものから必要枚数だけ順に取り外し、代表枡６Ｃ内の漁獲物ｗを先に取り外された差し板８位置を経て枡６Ａ内の平畚１９上に落下させる。枡６Ａ内の平畚１９上に収容限界量を超えない多量の漁獲物ｗが載った状態となったとき、この平畚１９を先と同様に吊りフック２１に掛けて引き上げる。このような処理を適当回数行って、代表枡６Ｃ内の漁獲物ｗが適当に少なくなったとき、代表枡６Ｃ内に作業者が入り、代表枡６Ｃ内の各平畚１９の吊り手棒１９ａの吊り環部を吊りフック２１に予め掛け吊された荷役用ワイヤの下端にシャックルなどを介して結合し、各平畚１９を順に前側クレーン１５で引き上げる。
【００１９】
代表枡６Ｃ内の平畚１９を引き上げるさいは、該平畚１９が吊りフック２１の真下に位置していないため、吊りフック２１に掛け吊された荷役用ワイヤを荷揚げ口５を経て魚倉２内へ斜めに引き入れて該荷役用ワイヤの下端に該平畚１９の吊り手棒１９ａを結合させた後、前側クレーン１５に荷役用ワイヤを引き上げさせる。こうして代表枡６Ｃ内の各平畚１９の引き上げが進行するに伴って、代表枡６Ｃ内の漁獲物ｗは順次に少なくなるが、これに合わせて、代表枡６Ｃを形成した差し板８のうち枡６Ａ側のものを順に外していき、平畚１９の引き上げ作業を容易化させる。代表枡６Ｃ内の各平畚１９が全て引き上げられたとき、代表枡６Ｃ内の漁獲物ｗは全て水揚げされる。
その他の枡６内の漁獲物ｗの水揚げは代表枡６Ｃ内のそれと同様に又は近似して行われる。
【００２０】
次に本発明に関連した他の公知文献に言及する。
特許文献１には、漁船上で漁獲物を魚倉内の枡内に搬送し収容する技術が開示されている。この技術では漁獲物は既述した沖底船の場合と同様に、枡内に直接に落下させるように取り扱われる。
【００２１】
特許文献２には、漁獲物を移送用袋に収容して移送する技術が開示されている。ここで使用される移送用袋は上細り状の錐形となされているため上部開口が袋本体下部の大きさに較べて小さくなると共に、内方には水が蓄えられて、該水の中に生きた漁獲物ｗを収容するものであり、したがって漁船上において漁獲物を魚倉２内に能率的に収容したり、魚倉２内への漁獲物ｗの収容において魚倉２内のスペースを有効に利用したり、さらには漁獲物ｗを多量に収容して能率的に搬送する上では不向きなものとなっている。
【００２２】
【特許文献１】特開平９−２５５１３８号公報
【特許文献２】特開２００７−１６４０号公報
【発明の開示】
【発明が解決しようとする課題】
【００２３】
既述した沖底船における漁獲物ｗの取扱いでは漁獲物ｗが収容されている枡６内に入って作業するようになるため、作業者が漁獲物ｗを踏みつぶすようになることは避けられない。したがって漁獲物ｗは一般に加工原料（すり身やひき割りの材料）としての扱いとなる。また枡６内にバラ積みされた漁獲物ｗは水揚げされるさいに平畚１９に収容して陸上に移動され平畚１９上からトラックの荷台内などに移し替えるように取り扱われるため、鮮度良く衛生的に目的地まで搬送することが困難となる。
特許文献１に開示された技術においても上記と同様な欠点があると思われる。
【００２４】
本発明はこのような実情に鑑みて創案されたものであり、その目的とするところは、漁船において漁獲物ｗを支障のない能率で魚倉２内に収容できることを確保した上で、漁獲物ｗを踏みつぶすことなく能率的に水揚げしたり、鮮度良く衛生的に目的地まで搬送することを可能にすることである。
【課題を解決するための手段】
【００２５】
上記目的を達成するため、本発明では、水平断面形状が正方形の上下向き一様断面有底筒状であり底面及び側周面が網地で形成され上面が開口になっている袋体と、底面部及び側周面のうち、袋体内の水が抜け落ちるための通路となる網地部分を除いた範囲に被着されている撓曲可能な複数枚のシート部材と、袋体の側周面の各隅角部の上に固定された筋縄と、該筋縄のそれぞれから上方へ延出されて上部に吊り力が付与される吊り手棒とを備えた漁獲物収容バッグを使用して実施する。
【００２６】
即ち、漁獲物収容バッグの複数個を、漁船の魚倉内の底面上に分解可能に形成された枡のそれぞれの内方に整列させて位置保持させ、この後、これら漁獲物収容バッグのそれぞれの開口の上方から漁獲物を落下させるように実施する。
【００２７】
この発明において、複数の漁獲物収容バッグは、漁船の枡の大きさや構造が従来と変わりないものであっても、枡内に従来と同様な量の漁獲物を能率的に収容することを可能とし、また漁獲物の水揚げは漁獲物収容バッグのそれぞれを単独に吊り搬送することにより従来のクレーンの使用により能率的に実行されるようになる。また各漁獲物収容バッグはその吊り手棒がクレーンの吊りフックに直接に又は間接的に掛けられた後、該吊りフックを引き上げることにより水揚げされるようになり、また１つの漁獲物収容バッグを水揚げした後は、その存在していた魚倉２内の床面上に作業スペースが確保されるため、作業者は水揚げのために漁獲物の上に乗る必要がなくなり、漁獲物は作業者に踏みつぶされることがなくなる。水揚げした後の漁獲物収容バッグは陸上においてトラックの荷台などにそのまま載せ目的地まで搬送することが可能となる。
【００２８】
またシート部材は漁獲物収容バッグ内の漁獲物が袋体の網目を通じて外方へ部分的に張り出した状態になることを阻止して、漁獲物が他物との接触により損傷するのを防止すると共に、袋体に対する漁獲物の相対移動を円滑化させて、漁獲物の摩擦による損傷を防止するほか、漁獲物収容バッグ内の漁獲物の温度上昇を抑制して該漁獲物の鮮度を維持する上で寄与するものとなる。またシート部材が袋体の一部に被着されることは漁獲物収容バッグ内の不要な水を網目を通じて外方へ漏出させることを可能となして、漁獲物収容バッグの搬送重量を軽減させるほか、漁獲物収容バッグ内の漁獲物の鮮度を維持させる上で寄与する。また筋縄及び吊り手棒はこれに作用する吊り荷重を袋体の網地へ均等化させ分散させる上で寄与する。
【発明の効果】
【００２９】
本発明によれば、漁船上において漁獲物を魚倉の枡内に直接に落下させる場合と略同様の能率で魚倉内に収容することができる上に、作業者が漁獲物に触れなくても漁獲物収容バッグにより漁獲物を能率的且つ衛生的に水揚げすることができると共に、漁獲物を踏みつぶすことがなくなるのである。
【００３０】
また漁獲物収容バッグに漁獲物が収容された後は、漁獲物が目的地に到達するまで人との接触を阻止できるのであり、したがって漁獲物を鮮度良く衛生的にしかも人為的な事故などを発生させることなく安全に目的地の加工業者などに届けることが可能となる。
【発明を実施するための最良の形態】
【００３１】
以下本発明の詳細を図面に基づいて説明する。
【実施例１】
【００３２】
図８は本発明の実施例で使用される漁獲物収容バッグを示す斜視図、図９は前記漁獲物収容バッグの各部を示す図、図１０は前記漁獲物収容バッグの一部を展開した状態を示す説明図である。
【００３３】
本実施例では、図８に示すような漁獲物収容バッグ２２を使用する。
この漁獲物収容バッグ２２は袋体２３とシート部材２４と筋縄２５と吊り手棒２６とを備えている。袋体２３は、水平断面形状が正方形である上下向き一様断面有底筒状とされ底面２３ａ及び側周面２３ｂが網地２７で形成され上面が開口２３ｃとなっている。なお、吊り手棒２６は棒材でもロープ、ワイヤなどでも良い。
【００３４】
側周面２３ｂは図９に示すような２種の側面パネルａ１、ａ２からなっている。矢印方向ｂ１で対向した２つの側面パネルａ１、ａ１のそれぞれには方形状の網地２７の上下左右の端部に例えば略２つの網目分の巾を残した状態で網地２７の内面に方形状のシート部材２４ａが被着されている。一方、矢印方向ｂ２で対向した２つの側面パネルａ２、ａ２のそれぞれには上下左右の端部に例えば略２つの網目分の巾を残した状態で網地２７の内面に方形状のシート部材２４ｂが被着されており、このさいシート部材２４ｂは下部中央位置に略３つの網目分の巾の方形状切欠ｃ１を形成されている。
【００３５】
底面２３ａは１つの底面パネルａ３からなっている。この底面パネルａ３には方形状の網地２７の外周囲に例えば略２つの網目分の巾を残した状態で網地２７の内面に同一大きさの２つの方形状のシート部材２４ｃ、２４ｃが被着されている。これら２つのシート部材２４ｃ、２４ｃは、例えば略５つの網目分の長さだけ離間される。
【００３６】
２つの側面パネルａ１、ａ１と底面パネルａ３とは図１０に示すように一列状に連続させた状態において、チャック２８が設けられるのであり、具体的には例えば、一方のシート部材２４ｂの方形状切欠ｃ１から他方のシート部材２４ｂの方形状切欠ｃ１に至る長さ範囲の巾中央位置の１つの網目範囲内の網線を切除した後、一方の方形状切欠ｃ１から他方の方形状切欠ｃ１に至る全長範囲でしかも巾中央の１つの網目範囲にチャック２８を縫着する。このチャック２８は雌雄の係合部２８ａとこれら係合部２８ａを支持した一対の帯布２８ｂ、２８ｂからなっている。
【００３７】
網地２７は一般には網線２７ａの直径を１．５ｍｍ〜７ｍｍとされ、目合を２０ｍｍ〜６０ｍｍとされるのであり、また図８に示す袋体２３において網線２７ａは上下方向と水平方向へ向かうような角目使いとされる。これにより、袋体２３は漁獲物ｗを収容して吊り手棒２６を引き上げたとき、網地２７が袋体２３の横方向への膨らみを効果的に阻止するものとなる。
【００３８】
シート部材２４は樹脂材料で形成するのが強度上やコストなどの点でよいのであり、好ましくはポリエステルに塩ビ加工をしたものとする。このシート部材２４は撓曲自在に形成されると共に良好な断熱性を有するものとなされ、また袋体２３内の水が抜け落ちるための通路が確保されるように底面２３ａ及び側周面２３ｂのうち該通路となるべき網地２７部分を除いた範囲に被着され、袋体の内面の５０％〜９５％を被った状態となっている。このさい、水が抜け落ちるための通路面積は少なくとも袋体２３の内面の５％程度に決定される。
【００３９】
筋縄３は網線２７ａよりも太くなされた単線状のもので、袋体２３の側周面２３ｂの各隅角部の外面を辿るように固定されると共に袋体２３に収容される漁獲物ｗの重量に対応した強度を有するものとなっている。吊り手棒２６は筋縄２５のそれぞれから上方へ延出され上部に吊り力を付与されるものであって、袋体２３の隅角部上端から筋縄２５をそのまま延長してなる延長部分２６ａと、これの上端に形成された吊り環部２６ｂとからなっている。
【００４０】
漁獲物収容バッグ２２の大きさはこれの使用される漁船の魚倉２内の枡６の大きさに関連して決定されるのであって、例えば、袋体２３は枡６の漁獲物収容部の容積の４分の1の形状に対し５％〜２０％大きな相似形に作られると共に底面２３ａから吊り環部２６ｂまでの高さが魚倉２の床面２ａから枡６内のフック部材２０までの高さに略等しくされる。
さらに漁獲物収容バッグ２２はシート部材２４が存在しなくても吊り手棒、筋縄及び網地で必要な強度が確保されるものとなされており、内方に漁獲物ｗを収容し吊り手棒２６を介して吊り上げたとき、シート部材に過大な力が作用しないものとなされている。
【００４１】
次に既述の沖底船上で上記のような漁獲物収容バッグ２２を使用して、魚倉２内に漁獲物ｗを蓄えるさいの手順の一例について説明する。
図１１は漁獲物収容バッグ２２を沖底船の枡６内に掛け止めた状態を示す一部省略説明図、図１２は枡６内に掛け止めた漁獲物収容バッグ２２内に漁獲物ｗが収容された状態を示す斜視図である。
【００４２】
魚倉２の各枡６ごとに４つの漁獲物収容バッグ２２を用意し、各漁獲物収容バッグ２２の吊り手棒２６の吊り環部２６ｂ同士を結合ロープｃ１により１点で結合させる。魚倉２の各枡６の内方の床面２ａ上で４つの漁獲物収容バッグ２２を２列に整列させ上部開口２３ｃの縁が密接するように位置させる。このさい、各枡６の４つの仕切壁６ａ、６ｂの長さ中央に位置した２つの吊り手棒２６、２６の吊り環部２６ａ同士も結合ロープｃ１により１点で結合させる。
【００４３】
そして各枡６の四隅に位置する１つの吊り手棒２６の吊り環部２６ｂをその対応する位置の起立支持部材７の上部に設けられたフック部材２０に掛け止める。これにより４つの漁獲物収容バッグ２２の中央点が漁獲物収容バッグ２２の自重で下がり気味となり、隣接した漁獲物収容バッグ２２の開口２３ｃ同士は開口縁に作用する張力で直状となり且つ密接した状態となる。４つの漁獲物収容バッグ２２の掛け止めが終了した枡６では図１２に示すように複数の差し板８が受け部材７に差し込まれて、仕切り壁６ａ、６ｂが形成される。
【００４４】
この状態の下で、底曳き網による漁獲物ｗを既述したように油圧ハッチ１２から魚落とし室９を経た後、砕片状の氷などと一緒にベルトコンベア１３及び可動式の誘導傾斜樋１８を経て任意な１つの枡６内の中央点の上方に導き落下させる。これにより、落下された漁獲物ｗや氷などは自然に４つの漁獲物収容バッグ２２に分散されて収容されていくのであり、このさい不均等に分散されて収容されたとしても、４つの漁獲物収容バッグ２２の中央点が漁獲物ｗの重量などで垂れ下がっているので、多く収容された漁獲物収容バッグ２２内の漁獲物ｗなどは重力作用により少ない漁獲物収容バッグ２２の内側へ溢れ出るようになり、最終的には人為作業を要することなく４つの漁獲物収容バッグ２２に略均等に収容される。
【００４５】
上記したような各枡６内の漁獲物収容バッグ２２の掛け止め処理は各枡６内に漁獲物ｗを収容させる作業の進行度合に応じて進めるのがよいのであり、このようにすることにより各枡６への漁獲物ｗの収容作業が能率化される。漁獲物ｗの収容中には作業者は主に床面２ａや作業用足場の上に位置し、漁獲物ｗに乗ることはない。
【００４６】
任意な１つの枡６内の４つの漁獲物収容バッグ２２に漁獲物ｗなどが満杯された状態では、各漁獲物収容バッグ２２の袋体２３が枡６の漁獲物収容部の全体形状の４分の1の形状に対し５％〜２０％大きな相似形に作られているため、該枡６の仕切壁６ａ、６ｂの内方に漁獲物ｗなどが隙間なく充たされた状態となり、船体の揺れに伴う荷動きが拘束されて、船体の復元性が適正に確保され、不慮の船体転覆事故などが確実に回避される。
【００４７】
各枡６内への漁獲物ｗなどの収容順は船体傾斜が大きくならないように決定するのであり、例えば、先ず前側の３つの枡６Ｉ、６Ｊ、６Ｇにこの順に収容させ、次に後側の３つの枡６Ｋ、６Ｌ、６Ｈにこの順に収容させ、左右側の４つの枡６Ｃ、６Ｄ、６Ｅ、６Ｆにこの順に収容させ、最後に２つの枡６Ａ、６Ｂにこの順に収容させる。
【００４８】
上記した漁獲物ｗの収容処理において、各枡６内の複数個の漁獲物収容バッグ２２の開口同士を、吊り手棒２６同士の結合処理や、各枡６に固定されたフック部材２０への吊り手棒２６の掛け止め処理により密接状態に保持させることは、複数個の漁獲物収容バッグ２２の開口同士を密接させる処理を簡易化させると共に、これら開口の上方から漁獲物ｗが投入されるとき、この漁獲物ｗの重量がこれら開口同士を一層確実に密接させるように作用することを可能とする。
【００４９】
まら吊り手棒２６同士の結合処理にさいして、吊り手棒２６に形成された吊り環部２６ｂを結合ロープｃ１で縛るように実施することは、複数個の漁獲物収容バッグ２２の開口同士を簡便且つ確実に密接させることを可能とするほか、漁獲物ｗを収容した状態で各漁獲物収容バッグ２２の網地２７に過度な荷重が作用するのを防止するものとなる。
【００５０】
次に上記のように各漁獲物収容バッグ２２内に収容された漁獲物ｗを水揚げするさいの手順の一例について説明する。
図１３は前側クレーン１５の吊りフック２１で漁獲物ｗの収容された１つの漁獲物収容バッグ２２を吊り上げた状態を示しており、図１４は漁獲物ｗを水揚げしている沖底船を示している。漁獲物収容バッグ２２を吊りフック２１で吊り上げるさいは４点吊り具２９を使用する。この４点吊り具２９は円環部材３０を備えると共にこの円環部材３０の周方向４等分位置に下向き外方へ張り出したフック部材３１を固定し、各フック部材３１の基端部外周上部に吊り手ワイヤ３２の下端を止着した構造となっている。このさい、吊り手ワイヤ３２は上部に吊り環部３２ａを形成される。
【００５１】
魚倉２内の各枡６内の漁獲物収容バッグ２２を吊り上げるときの、各枡６の着手順は船体傾斜が大きくならないように決定するのであり、例えば、先ず荷揚げ口５の真下の２つの枡５Ａ、５Ｂについてこの順に着手し、次に左右側の４つの枡６Ｃ、６Ｄ、６Ｅ、６Ｆについてこの順に着手し、次に前中央と後中央の２つの枡６Ｇ、６Ｈについてこの順に着手し、次に前左右側の２つの枡６Ｉ、６Ｊについてこの順に着手し、次に後左右側の２つの枡６Ｋ、６Ｌにこの順に着手する。
【００５２】
荷揚げ口５の真下の２つの枡５Ａ、５Ｂ内の漁獲物収容バッグ２２を吊り上げるさいは、前側クレーン１５の吊りフック２１に４点吊り具２９の吊り手ワイヤ３２の吊り環部３２ａを掛け止めた状態で、この４点吊り具２９を荷揚げ口５を通じて真下に降下させ、吊り上げるべき漁獲物収容バッグ２２の真上に近接させる。一方では、作業者は作業用足場などに乗るなどして、４つの漁獲物収容バッグ２２の吊り環部２６ｂを結合した結合ロープｃ１を解き外す。
【００５３】
そして、吊り上げるべき１つの漁獲物収容バッグ２２の４つの吊り環部２６ｂのそれぞれを４点吊り具２９における対応するフック部材３１に掛け止め、次いで前側クレーン１５のフック部材２１を引き上げ作動させ、荷揚げ場所に待機しているトラック３３の荷台上などに吊り移動させ、その後、漁獲物収容バッグ２２を４点吊り具２９のフック部材３１から離脱させて荷台上に積載させる。その他の漁獲物収容バッグ２２も同様にしてトラック３３の荷台上などに積載させる。
【００５４】
その他の枡６内の漁獲物収容バッグ２２を吊り上げるさいは、前側クレーン１５で４点吊り具２９を荷揚げ口５を通じて真下に降下させるだけでは４点吊り具２９が吊り上げるべき漁獲物収容バッグ２２の真上に近接しないため、例えば、吊りフック２１から荷役用ワイヤを吊り下げ、これの下端に結合されたシャックルなどに４点吊り具２９の４つの吊り環部２６ｂを一点に集合させるように結合させた後、荷揚げ口５を通じて荷役用ワイヤ及び４点吊り具２９を真下に降下させ、さらに作業者の手作業により荷役用ワイヤを斜めに引き入れた状態に保持し、４点吊り具２９を吊り上げるべき１つの漁獲物収容バッグ２２の真上に位置させる。この状態で、先と同様に、１つの漁獲物収容バッグ２２の４つの吊り環部２６ｂのそれぞれを４点吊り具２９における対応するフック部材３１に掛け、その後、前側クレーン１５の吊り力により荷役用ワイヤ及び４点吊り具２９を引き上げさせ、漁獲物収容バッグ２２をトラック３３の荷台上に吊り移動させる。トラック上では作業者がトラック３３の荷台に支持された状態の漁獲物収容バッグ２２を４点吊り具２９から離脱させ、トラック３上に荷積みされた状態とする。この際において、複数の差し板８は受け部材７から抜き取られ、荷揚げ口５の真下の枡と当該作業を行う枡との仕切り壁６ａまたは６ｂが除去されている。
【００５５】
このような荷揚げ作業において、荷役用ワイヤを斜めに引き入れる処理が作業者の手作業によっては困難を伴うことがあるが、このようなときは魚倉２の天井面に滑車を装着し、この滑車に荷役用ワイヤを案内させた状態とし、前側クレーン１５で荷役用ワイヤを引き移動させることにより漁獲物収容バッグ２２を横方向へ引き出すようにしてもよい。
【００５６】
また各漁獲物収容バッグ２２が吊り上げられたとき、筋縄２５には吊り手棒２６から吊り力が付与されるが、筋縄２５はこの吊り力を網地２７の網線に均等化して伝達するものとなり、網地２７の局部に過大な吊り力が付与されるのを阻止する。
【００５７】
また各漁獲物収容バッグ２２の袋体２３が１つの枡６の漁獲物収容部の容積の４分の1に対し５％〜２０％大きく作られているため、漁獲物収容バッグ２２が前側クレーン１５で吊り上げ移動されるとき、漁獲物ｗが枡６内に満杯にされた状態であっても、各漁獲物収容バッグ２２内の漁獲物ｗは漁獲物収容バッグ２２に対して満杯状態とはならず、荷揚げ中などに漁獲物収容バッグ２２からこぼれ落ちることは防止される。
【００５８】
漁獲物ｗの荷揚げ中には各漁獲物収容バッグ２２内に漁獲物ｗと一緒に収容された砕片状の氷が溶けてシャーベット状の氷となるが、各漁獲物収容バッグ２２は底面２３ａ及び側周面２３ｂに、袋体２３内の水が抜け落ちるための通路が形成されているため、水や微細氷片は外方へ流下し、漁獲物収容バッグ２２の重量が軽減される。
【００５９】
荷揚げ中やトラック３３による運搬中には漁獲物収容バッグ２２内で漁獲物ｗが揺れたり或いは網地２７の目合から張り出すようになるが、シート部材２４が漁獲物ｗと網地２７との摺接を阻止すると共に漁獲物ｗの摺動を円滑化するため、漁獲物ｗの損傷が効果的に防止される。また荷揚げ中やトラック３３による運搬中には外気により漁獲物ｗは温度上昇するが、シート部材２４が断熱性を有するため、温度上昇は効果的に抑制され、漁獲物ｗの鮮度が維持される。
【００６０】
トラック３３の荷台などに水揚げされた漁獲物ｗは漁獲物収容バッグ２２内に収容されたままであるため、作業者が荷台上で漁獲物ｗを踏みつけたり直接に接触することはなくなると共に漁獲物ｗが荷台などに直接に触れることも回避される。したがって、漁獲物ｗは漁船において漁獲物収容バッグ２２内に収容された後は、加工業者に渡るまで、人に触れることを回避できるものとなり、ＨＡＣＣＰ（危害分析に基づく重要管理点方式）による管理が行い易くなり、漁獲から消費者の食卓に到達するまでの漁獲物ｗの鮮度及び安全が比較的容易に確保されるのである。
【００６１】
加工業者などの最終搬送先にて、漁獲物収容バッグ２２から漁獲物ｗを取り出すときは漁獲物収容バッグ２２を吊り上げた状態でチャック２８を開放するのみでよいのであり、これにより漁獲物は損傷することなく迅速に取り出される。
【００６２】
上記実施例において、１つの枡６内に配置される漁獲物収容バッグ２２の数は任意に変更して差し支えないのであり、また各枡６内での漁獲物収容バッグ２２の掛け止めは任意に変更して差し支えない。
【００６３】
特に、船首側の枡６で方形から外れた形状のものにおいては、吊り環部２６ｂを掛け止めるフック部材２０の位置や数を適当に変更し、フック部材２０に吊り環部２６ｂを掛け止めたときに、隣接した漁獲物収容バッグ２２の開口２３ｃ縁を正確に密接させるようにするのがよい。
【００６４】
また漁獲物収容バッグ２２内に漁獲物ｗを冷却するための砕片状の氷を収容しないで、魚倉２内を冷凍機で冷却することにより漁獲物ｗを冷却するようにしてもよい。
【図面の簡単な説明】
【００６５】
【図１】既存の沖底船の側面視説明図である。
【図２】前記沖底船の平面図である。
【図３】前記沖底船の上甲板の下側近傍を上方から見た図である。
【図４】前記沖底船の一部を拡大した斜視図である。
【図５】前記沖底船の一部を拡大した斜視図である。
【図６】前記沖底船の枡内に漁獲物が収容された状態を示す断面図である。
【図７】沖底船から漁獲物を水揚げする様子を示す斜視図である。
【図８】本発明の実施例で使用される漁獲物収容バッグを示す斜視図である。
【図９】前記漁獲物収容バッグの各部を示す図である。
【図１０】前記漁獲物収容バッグの一部を展開した状態を示す説明図である。
【図１１】前記漁獲物収容バッグを沖底船の枡内に掛け止めた状態を示す一部省略説明図である。
【図１２】前記沖底船の枡内に掛け止めた漁獲物収容バッグ内に漁獲物が収容された状態を示す斜視図である。
【図１３】前記沖底船の吊りフックで漁獲物の収容された１つの漁獲物収容バッグを吊り上げた状態を示す斜視図である。
【図１４】前記漁獲物収容バッグを使用して沖底船から漁獲物を水揚げする様子を示す斜視図である。
【符号の説明】
【００６６】
２  魚倉
６  枡
２０  フック部材
２２  漁獲物収容バッグ
２３ａ  底面
２３ｂ  側周面
２３ｃ  開口
２３  袋体
２４  シート部材
２５  筋縄
２６  吊り手棒
２６ｂ  吊り環部
２７  網地
ｃ１  結合ロープ
【図１】
2010022212.tif 000003
【図２】
2010022212.tif 000004
【図３】
2010022212.tif 000005
【図４】
2010022212.tif 000006
【図５】
2010022212.tif 000007
【図６】
2010022212.tif 000008
【図７】
2010022212.tif 000009
【図８】
2010022212.tif 000010
【図９】
2010022212.tif 000011
【図１０】
2010022212.tif 000012
【図１１】
2010022212.tif 000013
【図１２】
2010022212.tif 000014
【図１３】
2010022212.tif 000015
【図１４】
2010022212.tif 000016